(57)【要約】      （修正有）【課題】バックルを締結した際に、使用者の皮膚などを挟み込むような不都合を可及的に回避可能とするヘルメットを提供する。【解決手段】ヘルメット１は、使用者の頭部を覆う帽体３と、帽体３から下方に延びて使用者の顎下まで巻回される右紐体６ｅ及び左紐体６ｆと、右紐体６ｅと左紐体６ｆとを連結するバックル２と、を備え、バックル２は、右紐体６ｅの先端側に設けられた右係止体１１と、左紐体６ｆの先端側に設けられた左係止体１０とを有し、バックル２には、右係止体１１と左係止体１０とが連結した際に、異物を挟み込む可能性のある異物挟み込み部が存在するものであって、右係止体１１と左係止体１０とのいずれか一方に、異物挟み込み部を覆う庇部が形成されている。【選択図】図１
0003227682.tif 000002
【実用新案登録請求の範囲】
【請求項１】
使用者の頭部を覆う帽体と、帽体から下方に延びて使用者の顎下まで巻回される右紐体及び左紐体と、前記右紐体と左紐体とを連結するバックルと、を備えたヘルメットであって、
前記バックルは、右紐体の先端側に設けられた右係止体と、左紐体の先端側に設けられた左係止体とを有し、
前記バックルには、右係止体と左係止体とが連結した際に、異物を挟み込む可能性のある異物挟み込み部が存在するものであって、前記右係止体と左係止体とのいずれか一方に、前記異物挟み込み部を覆う庇部を備えた保護片が設けられている
ことを特徴とするヘルメット。
【請求項２】
前記バックルは、右係止体として下係止体を有し、左係止体として上係止体を有し、前記下係止体の上面に上係止体の底面が取り付くことにより、前記右紐体と左紐体とが連結状態となることを特徴とする請求項１に記載のヘルメット。
【請求項３】
前記下係止体の基端側に右紐体が連結され、前記上係止体の基端側に左紐体が連結されており、
前記庇部が上係止体の先端から張り出すように、前記上係止体の上面に形成されていることを特徴とする請求項２に記載のヘルメット。
【考案の詳細な説明】
【技術分野】
【０００１】
本考案は、自転車などに乗る際に使用するヘルメットに関するものであり、詳しくは、ヘルメットの両側から垂下状に設けられた顎紐同士を連結するためのバックル（締結具）に関する。
【背景技術】
【０００２】
従来より、頭部を保護するためのヘルメットとしては、自転車等に搭乗するときに着用する乗車用のヘルメット、スケートボードなどの運動競技で着用するスポーツ用のヘルメット、作業現場等で着用する作業用のヘルメットなど用途に応じて様々な構造のものが知られている（例えば、特許文献１参照）。
例えば、乗車用ヘルメットは、頭部を覆って保護する帽体（シェル）と、帽体内に取り付けられ、外部からの衝撃を吸収して頭部を保護する衝撃吸収部材（ライナー）と、帽体の内壁面に取り付けられ、顎に掛けて締めることでヘルメットを頭部に安定して固定する顎紐（右側から延びる右紐体と左側から延びる左紐体）と、を有する。さらに、ヘルメットには、右紐体と左紐体とを連結する連結具（バックル）が設けられている。
【先行技術文献】
【特許文献】
【０００３】
【特許文献１】実全昭５９−２２０７号公報
【考案の概要】
【考案が解決しようとする課題】
【０００４】
ところで、特許文献１のバックルを参照するに、特許文献１の図７などを精査すると、一方の紐体の先端に設けられた雄部材が、他方の紐体の先端に設けられた雌部材にはまり込むようなバックルの構造となっている。
それ故、バックルが嵌った状態になった際に、雄部材の基端部が雌部材の基端部（舌片）にピッタリと面接する（面で接する）状態となる。このとき、まれにではあるが、雄部材の基端部と雌部材の基端部との間に、使用者に皮膚などが挟み込まれた状況となり、非常に不都合が生じることになる。
【０００５】
本考案は、上述の問題に鑑みてなされたものであり、ヘルメットを使用者の頭部に装着した際に、使用者の皮膚などを挟み込むような不都合を可及的に回避可能なバックルを備えたヘルメットを提供することを目的とする。
【課題を解決するための手段】
【０００６】
上記課題を解決するため、本考案では以下の技術的手段を講じている。
すなわち、本考案のヘルメットは、使用者の頭部を覆う帽体と、帽体から下方に延びて使用者の顎下まで巻回される右紐体及び左紐体と、前記右紐体と左紐体とを連結するバックルと、を備えたヘルメットであって、前記バックルは、右紐体の先端側に設けられた右係止体と、左紐体の先端側に設けられた左係止体とを有し、前記バックルには、右係止体と左係止体とが連結した際に、異物を挟み込む可能性のある異物挟み込み部が存在するものであって、前記右係止体と左係止体とのいずれか一方に、前記異物挟み込み部を覆う庇部を備えた保護片が設けられていることを特徴とする。
【０００７】
好ましくは、前記バックルは、右係止体として下係止体を有し、左係止体として上係止体を有し、前記下係止体の上面に上係止体の底面が取り付くことにより、前記右紐体と左紐体とが連結状態となるとよい。
好ましくは、前記下係止体の基端側に右紐体が連結され、前記上係止体の基端側に左紐体が連結されており、前記庇部が上係止体の先端から張り出すように、前記上係止体の上面に形成されているとよい。
【考案の効果】
【０００８】
本考案のヘルメットによれば、当該ヘルメットを使用者の頭部に装着し、バックルを締結した際に、使用者の皮膚などを挟み込むような不都合を可及的に回避可能で、且つヘルメットに備えられた顎紐を確実に使用者の顎下に巻き回すことが可能なものとなる。
【図面の簡単な説明】
【０００９】
【図１】本考案のヘルメットの外観を示す斜視図である。
【図２】本考案のヘルメットのバックルを側面から見た図である。
【図３】本考案のヘルメットのバックルを斜め上方から見た図である。
【図４】本考案のヘルメットの分解斜視図である（図３と同斜視）。
【考案を実施するための形態】
【００１０】
以下、本考案にかかるヘルメット１、特に顎紐６の先端側に設けられたバックル２の実施形態を、図面に基づき詳しく説明する。
なお、以下に説明する実施形態は、本発明を具体化した一例であって、その具体例をもって本発明の構成を限定するものではない。本実施形態においては、自転車用のヘルメット１を例示する。また、ヘルメット１の前後方向、左右方向、上下方向については、図１において示した方向をもって説明を進める。これは当該ヘルメット１を着用した使用者から見た方向と一致する。同様に、バックル２の前後方向、左右方向、上下方向については、図２において示した方向をもって説明を進める。これはヘルメット１を着用した使用者から見た方向と一致する。
【００１１】
図１に示すように、本発明のヘルメット１は、頭部がずれなく被ることができる大きさを有するものである。具体的には、本発明のヘルメット１は、頭部を覆って保護する帽体３と、帽体３の内部に取り付けられ、外部からの衝撃を吸収して頭部を保護する衝撃吸収部材４と、頭部の顎に掛けて締めることで、衝撃吸収部材４が装着された帽体３（ヘルメット１）を頭部に安定して着用する顎紐６と、を有する。
【００１２】
帽体３は、頭部の大きさよりやや大きい椀型の筐体であり、少なくとも前頭部及び後頭部を覆う部材である。すなわち、帽体３は、頭部を覆って保護する材料で形成されている。本実施形態の帽体３は、ハードシェルと呼ばれる硬質の筐体である。例えば、この帽体３としては、ＡＢＳ樹脂などのプラスチック製などが挙げられる。帽体３の頂部には、孔部５が設けられている。この孔部５は、頭部の熱を外部に放出して通風性を高めて、内部の蒸れを防止する。
【００１３】
帽体３の内壁面には、顎紐６の基端側が取り付けられるものとなっている。
衝撃吸収部材４は、帽体３内にずれなく固定されている。衝撃吸収部材４は、頭部をずれなく覆うことができる大きさの部材である。衝撃吸収部材４の内表面は、頭部が接触するため、布材に覆われている。衝撃吸収部材４は、外部からの衝撃を吸収して頭部を保護する材料で形成されている。衝撃吸収部材４は、例えば、発泡スチロールで形成されていることが多い。
【００１４】
衝撃吸収部材４は、例えば、自転車で走行中に転倒して外部（例えば、路面）から帽体３へ衝撃が加わったとき、変形することで衝撃を吸収して頭部を保護する。この衝撃吸収部材４と帽体３により、頭部が確実に保護される。
顎紐６（紐体）は、顎に掛けて締めることで衝撃吸収部材４を備えた帽体３（ヘルメット１）を頭部に安定して着用する部材である。すなわち、顎紐６は、着用時に顎に掛けることで、ヘルメット１が使用者の頭部から脱落することを防ぐ部材であるともいえる。
【００１５】
顎紐６は、顎に掛けるため、可撓性を備える材料で形成されている。顎紐６は、例えば、樹脂製の糸を帯状に編み込んでなる平紐体で形成されていることが多い。顎紐６は、帽体３の内壁面において、垂下された状態で四本取り付けられている（左右それぞれの側に二本づつ）。
詳しくは、顎紐６は、帽体３の内壁面の右前側と右後側のそれぞれに、吊下された状態で取り付けられている。その右前側の顎紐６ａと、右後側の顎紐６ｂは、まとめられていて、その先端にバックル２（締結具）の一方側（下係止体１１、言い換えれば、下係合体）が取り付けられている。
【００１６】
また、顎紐６は、帽体３の内壁面の左前側と左後側のそれぞれに、垂下された状態で取り付けられている。その左前側の顎紐６ｃと、左後側の顎紐６ｄは、まとめられていて、その先端にバックル２の他方側（上係止体１０、言い換えれば、上係合体）が取り付けられている。
なお、バックル２７は、顎紐６の長さを調整することができる長さ調整機構が設けられている。長さ調整機構は、頭部の大きさは個人差によって異なるため、使用者の頭部に合うように、顎紐６の長さを調整するものである。
【００１７】
使用者がヘルメット１を着用するにあたり、衝撃吸収部材４を備えた帽体３を被って頭部を覆う。その使用者の頭部の左右側方において、顎紐６が吊下された状態となる。四本の顎紐６のうち右側から延びる紐体６ａ，６ｂは中間結合体７により連結され、中間結合体７の下端側から使用者の顎下に延びる右紐体６ｅが延びるものとなっている。同様に、四本の顎紐６のうち左側から延びる紐体６ｃ，６ｄは中間結合体７により連結され、中間結合体７の下端側から使用者の顎下に延びる左紐体６ｆが延設されるものとなっている。
【００１８】
右紐体６ｅと左紐体６ｆとの先端部には、両紐体６ｅ，６ｆを連結するバックル２が設けられている。使用者の顎下においてバックル２を結合させることで、これにより、顎に顎紐６が巻き回るようになり、ヘルメット１が使用者の頭部に安定して着用されることになる。なお、本明細書における「顎下」とは、顎の直下の部位のみを示すものではなく、顎の側面側までも含む広い領域を示すものである。
【００１９】
さて、本考案のヘルメット１は、このバックル２の構造に特徴がある。
本実施形態のバックル２は、上係止体１０（左係止体）と下係止体１１（右係止体）とからなり、両者１０，１１が係合することにより、右紐体６ｅと左紐体６ｆとが連結された状態となる。
まず、下係止体１１は、右紐体６ｅの先端部に取り付けられたバックル２の一部であり、長さ４ｃｍ、幅２ｃｍ、厚さ１ｃｍほどの大きさの略直方体形状を呈しているものである。下係止体１１の長さ方向の一方側（基端側）には貫通孔１２が形成されており、この貫通孔１２を巻き回すように右紐体６ｅが通ることで、右紐体６ｅの先端部に下係止体１１が取り付けられるものとなっている。
【００２０】
図３，図4に示す如く、下係止体１１の上面は平坦面となっており、この平坦面の中央側と基端に近い部分の２箇所には、それぞれ凹部１３が形成されている。この凹部１３に、後述する上係止体１０の凸部１４が嵌まり込み、上係止体１０の凸部１４の先端部分に形成された係止爪１５が凹部１３の奥の部分にて引っ掛かることで、凹部１３から凸部１４が外れないものとなっている。
【００２１】
下係止体１１の長さ方向の他方側（先端側）には、下係止体１１の基端側に向けて水平方向に押し込むことで、前述した凸部１４を水平方向へ押移動させ、係止爪１５による係合状態を解除する解除片１６が設けられている。この解除片１６はバネによる付勢力により常に先端側（外側）へ付勢されるものとなっており、解除片１６を一定の力で水平方向へ押し返す、言い換えれば、解除片１６を下係止体１１内へ押し込むことにより、凹部１３に対する凸部１４の係止状態を解除可能となっている。
【００２２】
一方、図３，図4に示す如く、上係止体１０は、左紐体６ｆの先端部に取り付けられたバックル２の一部であり、長さ３ｃｍ、幅２ｃｍ、厚さ０．５ｃｍほどの大きさの略直方体形状を呈しているものである。上係止体１０の長さ方向の一方側（基端側）には貫通孔１２が形成されており、この貫通孔１２を巻き回すように左紐体６ｆが通ることで、左紐体６ｆの先端部に上係止体１０が取り付けられるものとなっている。
【００２３】
上係止体１０の底面は平坦面となっており、この平坦面の中央側と先端側の２箇所には、それぞれ凸部１４が形成されている。中央側に形成された凸部１４は、上から見て略矩形であり、凸部１４の頂部には、水平方向で且つ基端方向に突出する係止爪１５が形成されている。上係止体１０の底面先端側に形成された凸部１４は、下から見て略三日月状であり、下係止体１１の先端のＲ形状に沿ったものとなっている。この凸部１４の頂部にも、水平方向で且つ基端方向に突出する係止爪１５が形成されている。
【００２４】
係止爪１５の張り出し方向は左紐体６ｆが存在する方向、言い換えれば、下係止体１１の基端側を向くものとなっている。この係止爪１５が凹部１３の奥の部分にて引っ掛かることで、凹部１３から凸部１４が外れないものとなっている。
また、上係止体１０と下係止体１１とにそれぞれ磁石が埋め込まれており、両係止体を近づけることで自ずから磁力により引き寄せられて、下係止体１１の上面が上係止体１０
の底面に面接する状態となり、下係止体１１の凹部１３に上係止体１０の凸部１４が嵌まり込み、係止爪１５で両者が外れない状態となって係合することになる。
【００２５】
この状態を解除するには、下係止体１１に設けられた解除片１６を下係止体１１内に押し込むことで、上係止体１０の凸部１４を下係止体１１の基端側へ押し込む、言い換えれば、上係止体１０の底面を下係止体１１の上面に沿って滑らすことで、係止爪１５による係合状態をリリースするようにするとよい。
このような構成のバックル２によれば、係止を行う際には、磁石の力により上係止体１０と下係止体１１とがスムーズに面接することになり、右紐体６ｅと左紐体６ｆとを容易に連結することができるようになる。一方で、下係止体１１に設けられた解除片１６を押し込むことで、上係止体１０の係止爪１５による結合状態を簡単に外すことができるようになるため、力の弱い女性や子供であっても、容易にバックル２による紐体６の連結状態を解除可能となる。
【００２６】
このように、有利な点が多い本実施形態のバックル２であるが、不都合な点が存在する。
図２に示すように、バックル２を係合状態にした際に、上係止体１０の底面と下係止体１１の上面とがピタリと面接することになる。この部分に、例えば使用者の顎部の皮膚が挟まった場合、使用者は痛みを感じることになる（図２の破線で示す部分）。すなわち、上係止体１０と下係止体１１とが上下に重なり合った際に、異物を挟み込む可能性のある異物挟み込み部が存在することになる。特に、上係止体１０と下係止体１１とが磁石の力で近寄って一体化する際には、異物挟み込み部により皮膚を挟む可能性が増すものとなる。
【００２７】
このような不都合は、通常は起こらないものの、バックル２の取り扱いに慣れていない初心者や子供などが使用した場合、万が一にも挟み込みが発生しないとは言い切れない。
そこで、本実施形態のバックル２は、このような不都合を回避するための保護片２０を備えるものとなっている。
この保護片２０は、板状の部材であり、上係止体１０の上面を覆う形をしている。唯一異なるのが、図２などに示すように、上係止体１０の先端部において、保護片２０が更に伸びるようになっており、例えていうならば、屋根の庇のようになっていること（庇部２１）である。この庇部２１が、バックル２を締結した際に、使用者の顎下の皮膚に接するものとなっている。
【００２８】
庇部２１は、上面視で円弧状であり、上係止体１０の先端部分よりやや下向きに（下係止体１１に近づくように）、５〜１０ｍｍほど突出するようになっている。庇部２１の先端は、バックル２を係合状態とした際に、下係止体１１が取り付けられている右紐体６ｅに接する乃至は近接するものとなっている。
このような庇部２１により、下係止体１１の上面が上係止体１０の底面に接し、上係止体１０の先端であって絶壁状となっている部分、言い換えるならば、使用者の皮膚などの予想しない異物を挟み込む可能性がある部分を覆うようになっている。この庇部２１により、使用者の皮膚が上係止体１０と下係止体１１とが面接する部分に達するのを防ぐようになっている。
【００２９】
かかる構造を有する保護片２０により、バックル２における異物の挟み込みと行った不都合を可及的に回避することができる。
なお、図３などを見ると、上係止体１０と保護片２０は別体で構成されており、両者が組み付けられるようになっているが、上係止体１０の先端部に庇部２１が一体に形成されるものであってもよい。
【００３０】
上記したヘルメット１の使用態様であるが、通常のヘルメット１と何ら変わるものではない。
まず、使用者は帽体３を頭部に装着し、右紐体６ｅを顔の右側から顎の下へ回し、左紐体６ｆを顔の左側から顎の下へ回し、顎下にて、バックル２を締結する、すなわち、上係止体１０と下係止体１１とを上下方向に合わせるようにする。すると、上係止体１０の凸部１４が、下係止体１１の凹部１３に嵌まり込み、凹部１３の奥にて係止爪１５が引っか
かることで、上係止体１０と下係止体１１とが一体となり、バックル２が係合状態となる。
【００３１】
このとき、上係止体１０の底面と下係止体１１の上面とが面でピタリと接する（面接する）ことになるが、上係止体１０には、保護片２０の庇部２１があり、使用者の皮膚が面接する部分に達することを防止するため（図２の実線で示す部分）、異物の挟み込みといった不都合な状況を回避することが可能となる。
使用後に、バックル２を解除状態とするには、下係止体１１に設けられた解除片１６を下係止体１１内に押し込むことで、上係止体１０の凸部１４を下係止体１１の基端側へ押すことで、係止爪１５による係合状態を開放できるようになる。
【００３２】
以上述べたヘルメット１、特にバックル２の構造によれば、当該ヘルメット１を使用者の頭部に装着し、バックル２を締結した際に、使用者の皮膚などを挟み込むような不都合を可及的に回避可能で、且つヘルメット１に備えられた顎紐６を確実に使用者の顎下に巻き回すことが可能なものとなる。
なお、今回開示された実施形態はすべての点で例示であって制限的なものではないと考えられるべきである。
【００３３】
すなわち、本発明の特徴は保護片２０、特に庇部２１にあるため、上係止体１０と下係止体１１の構造、係止方法には大きな制約はない。上係止体１０と下係止体１１とによる挟み込みが発生しそうな部位を覆う庇部２１、乃至はこの庇部２１を有する保護片２０を有するバックル２であれば、本発明の範疇に属する。
また、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００３４】
１    ヘルメット
２    バックル
３    帽体
４    衝撃吸収部材
５    孔部
６    顎紐（紐体）
６ｅ  右紐体
６ｆ  左紐体
７    中間結合体
１０  上係止体
１１  下係止体
１２  貫通孔
１３  凹部
１４  凸部
１５  係止爪
１６  解除片
２０  保護片
２１  庇部
【図１】
0003227682.tif 000003
【図２】
0003227682.tif 000004
【図３】
0003227682.tif 000005
【図４】
0003227682.tif 000006